(57)【要約】      （修正有）【課題】光学繊維接続器が光学繊維適合器内に挿入されるときに、水が光学繊維接続器内に流れ、その中のバネを錆びさせるのを防ぐことができる光学繊維接続器を提供する。【解決手段】光学繊維接続器は、中空の筐体、フェルール保持具１３０、バネ１８８、背面支柱１９０および封止環１７０を含む。中空の筐体は４つの側壁を有し、側壁の２つに開口部がそれぞれ設けられる。環状の斜面１１５が筐体の内部内に形成される。フェルール保持具は筐体内に配置される。バネは、フェルール保持具を押すために筐体内に配置される。背面支柱は、バネに当接するために筐体内に部分的に配置される。２つの突出部１９２が背面支柱上に形成され、筐体上にある２つの開口部内にそれぞれ嵌り込む。封止環は背面支柱上に置かれ、背面支柱は、封止環を筐体の内側にある環状の斜面に向かって押すように構成され、それにより、封止環が環状の斜面に当接する。【選択図】図２
0003217973.tif 000002
【実用新案登録請求の範囲】
【請求項１】
光学繊維接続器であって、
頂壁、底壁、右壁および左壁としてそれぞれ画定された４つの側壁を有する筐体であって、前記右壁および左壁のそれぞれは開口部を設けられ、環状の斜面が前記筐体の内部内に形成される、筐体と、
前記筐体内に配置されたフェルール保持具と、
前記フェルール保持具を押すために前記筐体内に配置されたバネと、
前記バネに当接するために前記筐体内に部分的に配置された背面支柱であって、前記背面支柱はその上に形成された２つの突出部を備え、前記２つの突出部は前記筐体上にある２つの開口部内にそれぞれ嵌り込む、背面支柱と、
前記背面支柱上に置かれた封止環であって、前記背面支柱は前記封止環を前記環状の斜面に向かって押すように構成され、それにより、前記封止環が前記環状の斜面に当接する、封止環と、
を備える、光学繊維接続器。
【請求項２】
環状の溝が、前記封止環を受け入れるために前記背面支柱上に形成される、請求項１に記載の光学繊維接続器。
【請求項３】
前記突出部のそれぞれは前記封止環と接触している表面を有し、前記突出部は前記封止環を前記環状の斜面に向かって押すように構成される、請求項２に記載の光学繊維接続器。
【請求項４】
前記封止環は、
均一の外径を有する前部品であって、前記前部品は前記筐体の内部と接触している前外表面をさらに有する、前部品と、
前記前部品に接続された後部品であって、前記後部品は前記封止環の後端に向かって徐々に増加される外径を有し、前記後部品は、前記筐体の環状の斜面に当接する傾斜した後外表面をさらに有する、後部品と、
を備える、請求項１に記載の光学繊維接続器。
【請求項５】
前記封止環の傾斜した後外表面の部分は、前記筐体の開口部からそれぞれ露出される、請求項４に記載の光学繊維接続器。
【請求項６】
前記封止環は長方形の横断面を有する、請求項１に記載の光学繊維接続器。
【請求項７】
光学繊維接続器であって、
頂壁、底壁、右壁および左壁としてそれぞれ画定された４つの側壁を有する筐体であって、前記右壁および左壁のそれぞれは開口部を設けられ、環状の切り立った表面が前記筐体の内部内に形成される、筐体と、
前記筐体内に配置されたフェルール保持具と、
前記フェルール保持具を押すために前記筐体内に配置されたバネと、
前記筐体内に部分的に配置された背面支柱であって、前記背面支柱はその上に形成された２つの突出部を備え、前記２つの突出部は前記筐体上にある２つの開口部内にそれぞれ嵌り込み、環状の前端表面が前記背面支柱の前端上に形成される、背面支柱と、
前記筐体内に配置された封止環であって、前記背面支柱は前記封止環を前記切り立った表面に向かって押すように構成され、それにより、前記封止環が前記背面支柱の前端表面と前記切り立った表面との間に挟まれる、封止環と、
を備える、光学繊維接続器。
【請求項８】
前記封止環は、
前記切り立った表面に当接する本体と、
前記本体の２つの対向する側面から前記筐体の開口部内にそれぞれ延在する２つの羽根と、
を備える、請求項７に記載の光学繊維接続器。
【請求項９】
前記羽根は長方形形状のものである、請求項８に記載の光学繊維接続器。
【考案の詳細な説明】
【技術分野】
【０００１】
関連出願
本出願は、２０１８年２月１４日に出願された台湾国出願第１０７１０５６１６号に基づいており、かつそれに対して優先権を主張しており、これにより、その開示内容は全体として本明細書中に参照により組み込まれている。
【０００２】
１．技術分野
本開示は、光学繊維接続器に、より具体的には、防水光学繊維接続器に関する。
【背景技術】
【０００３】
２．関連技術の記載
光学繊維は、世界中で通信を変革してきた。光学繊維の増加した使用に伴い、様々なソースから光学繊維ケーブルを接続および切断することができることがますます重要になっている。２つの繊維ケーブルは光学的に連結することができ、それにより、光学繊維接続器および光学繊維適合器を用いることにより互いに連通し、それによって、各光学繊維ケーブルを他方と連通させる。光学繊維接続器は、各ケーブルの端部上に据えられ、その後光学繊維適合器内に差し込まれる。光学繊維適合器は、光学繊維接続器を受け入れるようにそれぞれ一つずつ設計された２つの開口部を有する。
【０００４】
しかしながら、光学繊維接続器が光学繊維適合器内に挿入されるときに、水が光学繊維接続器の側壁内の開口部を通じて光学繊維接続器内に流れ、その中のバネを錆びさせることがある。
【考案の概要】
【考案が解決しようとする課題】
【０００５】
それ故に、上述の問題を解決する解決法を提供する必要性が存在する。
【課題を解決するための手段】
【０００６】
本開示は、水が内部内に流れてその中のバネを錆びさせるのを防ぐことができる光学繊維接続器を提供する。
【０００７】
１つの実施形態では、本開示の光学繊維接続器は、筐体、フェルール保持具、バネ、背面支柱および封止環を含む。筐体は４つの側壁を有し、そこで、その４つの側壁のうち２つのそれぞれは開口部を設けられる。環状の斜面が筐体の内部内に形成される。フェルール保持具は筐体内に配置される。バネは、フェルール保持具を押すために筐体内に配置される。背面支柱は、バネに当接するために筐体内に部分的に配置される。背面支柱はその上に形成された２つの突出部を含み、そこで、２つの突出部は筐体上にある２つの開口部内にそれぞれ嵌り込む。封止環は背面支柱上に置かれ、そこで、背面支柱は封止環を環状の斜面に向かって押すように構成され、それにより、封止環が環状の斜面に当接する。
【０００８】
別の実施形態では、本開示の光学繊維接続器は、筐体、フェルール保持具、バネ、背面支柱および封止環を含む。筐体は４つの側壁を有し、そこで、その４つの側壁のうち２つのそれぞれは開口部を設けられる。環状の切り立った表面が筐体の内部内に形成される。フェルール保持具は筐体内に配置される。バネは、フェルール保持具を押すために筐体内に配置される。背面支柱は筐体内に部分的に配置される。背面支柱はその上に形成された２つの突出部を含み、そこで、２つの突出部は筐体上にある２つの開口部内にそれぞれ嵌り込む。環状の前端表面が、背面支柱の前端上に形成される。封止環は筐体内に配置され、そこで、背面支柱は封止環を切り立った表面に向かって押すように構成され、それにより、封止環が背面支柱の前端表面と切り立った表面との間に挟まれる。
【０００９】
本開示の先の特徴および利点、ならびに追加の目的は、付随する図面を参照して進む、以下の詳細な記載からより一見して分かることになる。
【図面の簡単な説明】
【００１０】
【図１】本開示の第１の実施形態による光学繊維接続器の立面斜視図である。
【図２】本開示の第１の実施形態による光学繊維接続器の横断面図である。
【図３】本開示の第１の実施形態による光学繊維接続器の筐体の立面斜視図である。
【図４】本開示の第１の実施形態による光学繊維接続器の筐体の横断面図である。
【図５】本開示の第１の実施形態による光学繊維接続器の筐体の別の横断面図である。
【図６】本開示の第１の実施形態による光学繊維接続器の背面支柱の立面斜視図である。
【図７】本開示の第１の実施形態による光学繊維接続器の背面支柱の側面図である。
【図８】本開示の第１の実施形態による光学繊維接続器の封止環の立面斜視図である。
【図９】本開示の第１の実施形態による光学繊維接続器の封止環の横断面図である。
【図１０】封止環が本開示の第１の実施形態による光学繊維接続器の背面支柱上に置かれることを例解する側面図である。
【図１１】本開示の第２の実施形態による光学繊維接続器の立面斜視図である。
【図１２】本開示の第２の実施形態による光学繊維接続器の横断面図である。
【図１３】本開示の第２の実施形態による光学繊維接続器の背面支柱の立面斜視図である。
【図１４】本開示の第２の実施形態による光学繊維接続器の背面支柱の側面図である。
【図１５】本開示の第２の実施形態による光学繊維接続器の封止環の立面斜視図である。
【図１６】本開示の第２の実施形態による光学繊維接続器の封止環の横断面図である。
【図１７】封止環が本開示の第２の実施形態による光学繊維接続器の背面支柱上に置かれることを例解する側面図である。
【図１８】本開示の第３の実施形態による光学繊維接続器の立面斜視図である。
【図１９】本開示の第３の実施形態による光学繊維接続器の横断面図である。
【図２０】本開示の第３の実施形態による光学繊維接続器の筐体の立面斜視図である。
【図２１】本開示の第３の実施形態による光学繊維接続器の筐体の横断面図である。
【図２２】本開示の第３の実施形態による光学繊維接続器の筐体の別の横断面図である。
【図２３】本開示の第３の実施形態による光学繊維接続器の背面支柱の立面斜視図である。
【図２４】本開示の第３の実施形態による光学繊維接続器の背面支柱の側面図である。
【図２５】本開示の第３の実施形態による光学繊維接続器の封止環の立面斜視図である。
【図２６】本開示の第３の実施形態による光学繊維接続器の別の立面斜視図である。
【考案を実施するための形態】
【００１１】
好適な実施形態の詳細な記載
図１乃至５について参照が行われており、本開示の第１の実施形態による光学繊維接続器１００は、ＬＣ型光学繊維接続器であってよく、射出成型加工によりプラスチックで構築された筐体１１０を含む。筐体１１０は中空であり、横断面において長方形形状を実質的に有する。筐体１１０は、頂壁１１１、底壁１１２、右壁１１３および左壁１１４を備える４つの側壁を有し、そこで、右壁１１３は左壁１１４に面し、頂壁１１１および底壁１１２に接触する。掛け金１２０が頂壁１１１内に成型され、光学繊維接続器１００の中心軸１５０−１５０に垂直な方向にツマミ１２６を上下に動かすことを可能にする一体丁番１２５を含む。掛け金１２０は、ツマミ１２６の対向する側面上に配置された一対の突出部１２１をさらに有する。加えて、フェルール１４０が、筐体１１０の前端上にある円形の開口部１１６から突出する。巻きバネ１８８が、フェルール１４０が開口部１１６を通じて前後に動くことを可能にするために筐体１１０内に設置される。一対の突出部１６０が、それぞれ右壁１１３および左壁１１４の上に位置付けられる。長方形の開口部１１８が、筐体１１０の後端の近くで右壁１１３および左壁１１４のそれぞれの上に形成される。
【００１２】
加えて、光学繊維接続器１００は、フェルール保持具１３０、管１８６、封止環１７０および背面支柱１９０をさらに含み、そこで、フェルール保持具１３０は筐体１１０の内側に設置される。フェルール１４０はフェルール保持具１３０上に据え付けられ、それにより、その後端がフェルール保持具１３０の前端上にある開口部内に挿入される。管１８６の前端は、巻きバネ１８８の後端内に挿入される。フェルール保持具１３０の後端は、巻きバネ１８８の前端内に挿入され、管１８６の前端上にある開口部内に挿入および固定されもする。背面支柱１９０の前部分は筐体１１０内に配置され、その後部分は筐体１１０の後端上にある開口部から外に延在する。管１８６の後端は、背面支柱１９０の前端上にある開口部内に挿入される。従って、フェルール１４０、フェルール保持具１３０および管１８６は、互いに対して相対運動を全くせず、管１８６は背面支柱１９０内で可動である。巻きバネ１８８は、フェルール保持具１３０を前方に押すことができ、それにより、その前部分にあるフェルール保持具１３０が、筐体１１０の内壁上にある環状の斜面１１７と接触させられ、フェルール１４０の前端が、環状の斜面１１７を通り越して、筐体１１０の前端上にある開口部１１６の外に押される。封止環１７０は弾性であり、背面支柱１９０の外表面上に置かれる。封止環１７０は、筐体１１０と背面支柱１９０との間に挟まれもする。
【００１３】
図３、４および５について参照が行われており、筐体１１０は中空であり、開口部１１８の近くで徐々に増加される内径を有する。従って、傾斜した表面が、頂壁１１１、底壁１１２、右壁１１３および左壁１１４の内側面のそれぞれの上に形成される。これらの傾斜した表面は、筐体１１０の内壁上に環状の斜面１１５を形成するために共に接触する。環状の斜面１１５は、筐体１１０の後端上にある開口部に面する。加えて、凹部１１９が、頂壁１１１および底壁１１２の内側面のそれぞれの上に形成される。凹部１１９は長手方向に延在し、環状の斜面１１５に接続する。
【００１４】
図６および７について参照が行われており、背面支柱１９０は中空かつ円筒形であり、均一の内径を有する。環状の溝１９１が、背面支柱１９０の外表面上に形成される。環状の溝１９１は、背面支柱１９０の前端の近くに設置される。２つの弧形状の突出部１９２が、背面支柱１９０の外表面上に形成される。突出部１９２は接続されておらず、環状の溝１９１の後に直接設置される。突出部１９２は、筐体１１０の右壁１１３および左壁１１４の上にある開口部１１８からそれぞれ露出され、背面支柱１９０が筐体１１０内に挿入されるときに開口部１１８内にそれぞれ嵌り込む（図１および２を参照されたい）。突出部１９２は、どこでも実質的に均一であるが、溝１９１の付近では徐々に低減されるようになり、溝１９１の周辺では急激に０に変化する厚さを有する。従って、突出部１９２のそれぞれは、溝１９１に隣接する弓形のかつ傾斜した表面１９３、および表面１９３と溝１９１との間に設置された切り立った表面１９４を有し、そこで、切り立った表面１９４は溝１９１の底部に垂直である。
【００１５】
図８および９について参照が行われており、弾性の封止環１７０は環状であり、長方形の横断面を有する。封止環１７０は、内表面１７１、外表面１７２、および内表面１７１および外表面１７２を接続する２つの側表面１７３、１７４を有し、そこで、２つの側表面１７３、１７４は平面状であり、互いに平行である。
【００１６】
図１０について参照が行われており、封止環１７０が背面支柱１９０上に置かれるときに、封止環１７０は溝１９１内に嵌合される。この状態において、内表面１７１は溝１９１の底部と密接に接触しており、側表面１７４は２つの突出部１９２の切り立った表面１９４と密接に接触している。
【００１７】
本開示の第１の実施形態の光学繊維接続器１００によれば、フェルール１４０、フェルール保持具１３０および管１８６の組立体は、筐体１１０の後端上にある開口部を通じて筐体１１０内に挿入することができる。続いて、バネ１８８は筐体１１０内に挿入される。背面支柱１９０および封止環１７０の組立体は、筐体１１０内に最終的に挿入される。筐体１１０の内壁上にある凹部１１９は、背面支柱１９０上にある突出部１９２がそれらの上でそれぞれ摺動するために構成され、それにより、突出部１９２は、筐体１１０の右壁１１３および左壁１１４の上にある開口部１１８内に最終的に嵌り込むことになる（図１および２を参照されたい）。突出部１９２が開口部１１８内にそれぞれ引っ掛かるときに、背面支柱１９０の前端はバネ１８８の後端に接して当接し、そのため、バネ１８８はフェルール保持具１３０を前方に押すために圧縮される。加えて、封止環１７０は環状の斜面１１５に向かって押され、それにより、その側表面１７３が環状の斜面１１５と密接に接触させられる。
【００１８】
本開示の第１の実施形態による光学繊維接続器１００が光学繊維適合器内に完全に挿入されるときに、開口部１１８を通じて筐体１１０内に流れる水は、封止環１７０により遮断され、従ってバネ１８８に接触してそれを錆びさせることはできない。
【００１９】
図１１および１２について参照が行われており、本開示の第２の実施形態による光学繊維接続器２００は、第１の実施形態の光学繊維接続器１００における筐体１１０、巻きバネ１８８、フェルール保持具１３０、フェルール１４０および管１８６を含む。光学繊維接続器２００は、光学繊維接続器１００における封止環１７０および背面支柱１９０とはそれぞれ異なる封止環２７０および背面支柱２９０をさらに含む。
【００２０】
図１３および１４について参照が行われており、背面支柱２９０は中空かつ円筒形であり、均一の内径を有する。環状の溝２９１が、背面支柱２９０の外表面上に形成される。環状の溝２９１は、背面支柱２９０の前端の近くに設置される。２つの弧形状の突出部２９２が、背面支柱２９０の外表面上に形成される。突出部２９２は接続されておらず、環状の溝２９１の後に直接設置される。突出部２９２は、筐体１１０の右壁１１３および左壁１１４の上にある開口部１１８からそれぞれ露出され、背面支柱２９０が筐体１１０内に挿入されるときに開口部１１８内にそれぞれ嵌り込む（図１１および１２を参照されたい）。突出部２９２は、どこでも実質的に均一であるが、溝２９１の付近では徐々に低減されるようになり、溝２９１の周辺では急激に０に変化する厚さを有する。従って、突出部２９２のそれぞれは、溝２９１に隣接する弓形のかつ傾斜した表面２９３、および表面２９３と溝２９１との間に設置された切り立った表面２９４を有し、そこで、切り立った表面２９４は溝２９１の底部に垂直である。
【００２１】
図１５および１６について参照が行われており、弾性の封止環２７０は環状であり、均一の内径を有する。封止環２７０は、一方が他方の後ろに接続された２つの部品を含み、そこで、その前部品が均一の外径を有し、その後部品が封止環２７０の後端に向かって徐々に増加される外径を有する。従って、封止環２７０は、内表面２７１、前外表面２７２、後外表面２７５および２つの側表面２７３、２７４を有し、そこで、前外表面２７２は後外表面２７５を接続し、側表面２７３は内表面２７１を前外表面２７２と接続し、側表面２７４は内表面２７１および後外表面２７５を接続する。
【００２２】
図１７について参照が行われており、封止環２７０が背面支柱２９０上に置かれるときに、封止環２７０は溝２９１内に嵌合される。この状態において、内表面２７１は溝２９１の底部と密接に接触しており、側表面２７４は２つの突出部２９２の切り立った表面２９４と密接に接触している。
【００２３】
本開示の第２の実施形態の光学繊維接続器２００によれば、フェルール１４０、フェルール保持具１３０および管１８６の組立体は、筐体１１０の後端上にある開口部を通じて筐体１１０内に挿入することができる。続いて、バネ１８８は筐体１１０内に挿入される。背面支柱２９０および封止環２７０の組立体は、筐体１１０内に最終的に挿入される。筐体１１０の内壁上にある凹部１１９は、背面支柱２９０上にある突出部２９２がそれらの上でそれぞれ摺動するために構成され、それにより、突出部２９２は、筐体１１０の右壁１１３および左壁１１４の上にある開口部１１８内に最終的に嵌り込むことになる（図１１および１２を参照されたい）。突出部２９２が開口部１１８内にそれぞれ引っ掛かるときに、背面支柱２９０の前端はバネ１８８の後端に接して当接し、そのため、バネ１８８はフェルール保持具１３０を前方に押すために圧縮される。封止環２７０の後外表面２７５の部分は、開口部１１８からそれぞれ露出される。加えて、封止環２７０は環状の斜面１１５に向かって押され、それにより、その傾斜した後外表面２７５が環状の斜面１１５と密接に接触させられる。
【００２４】
本開示の第２の実施形態による光学繊維接続器２００が光学繊維適合器内に完全に挿入されるときに、開口部１１８を通じて筐体１１０内に流れる水は、封止環２７０により遮断され、従ってバネ１８８に接触してそれを錆びさせることはできない。
【００２５】
図１８乃至２２について参照が行われており、本開示の第３の実施形態による光学繊維接続器３００は、ＬＣ型光学繊維接続器であってよく、射出成型加工によりプラスチックで構築された筐体３１０を含む。筐体３１０は中空であり、横断面において長方形形状を実質的に有する。筐体３１０は、頂壁３１１、底壁３１２、右壁３１３および左壁３１４を備える４つの側壁を有し、そこで、右壁３１３は左壁３１４に面し、頂壁３１１および底壁３１２に接触する。掛け金３２０が頂壁３１１内に成型され、光学繊維接続器３００の中心軸３５０−３５０に垂直な方向にツマミ３２６を上下に動かすことを可能にする一体丁番３２５を含む。掛け金３２０は、ツマミ３２６の対向する側面上に配置された一対の突出部３２１をさらに有する。加えて、フェルール３４０が、筐体３１０の前端上にある円形の開口部３１６から突出する。巻きバネ３８８が、フェルール３４０が開口部３１６を通じて前後に動くことを可能にするために筐体３１０内に設置される。一対の突出部３６０が、それぞれ右壁３１３および左壁３１４の上に位置付けられる。長方形の開口部３１８が、筐体３１０の後端の近くで右壁３１３および左壁３１４のそれぞれの上に形成される。
【００２６】
加えて、光学繊維接続器３００は、フェルール保持具３３０、管３８６、封止環３７０および背面支柱３９０をさらに含み、そこで、フェルール保持具３３０は筐体３１０の内側に設置される。フェルール３４０はフェルール保持具３３０上に据え付けられ、それにより、その後端がフェルール保持具３３０の前端上にある開口部内に挿入される。管３８６の前端は、巻きバネ３８８の後端内に挿入される。フェルール保持具３３０の後端は、巻きバネ３８８の前端内に挿入され、管３８６の前端上にある開口部内に挿入および固定されもする。背面支柱３９０の前部分は筐体３１０内に配置され、その後部分は筐体３１０の後端上にある開口部から外に延在する。管３８６の後端は、背面支柱３９０の前端上にある開口部内に挿入される。従って、フェルール３４０、フェルール保持具３３０および管３８６は、互いに対して相対運動を全くせず、管３８６は背面支柱３９０内で可動である。巻きバネ３８８は、フェルール保持具３３０を前方に押すことができ、それにより、その前部分にあるフェルール保持具３３０が、筐体３１０の内壁上にある環状の斜面３１７と接触させられ、フェルール３４０の前端が、環状の斜面３１７を通り越して、筐体３１０の前端上にある開口部３１６の外に押される。封止環３７０は弾性であり、背面支柱３９０の前端面に接して当接することができる。
【００２７】
図２０、２１および２２について参照が行われており、筐体３１０は中空であり、長方形の開口部３１８は、筐体３１０の後端の近くにある右壁３１３および左壁３１４のそれぞれの上に形成される。従って、長方形の開口部３１８のそれぞれは４つの平坦な内壁により画定され、その内壁のうち１つは、筐体３１０の後端に面する内壁４１１として命名される。加えて、頂壁３１１および底壁３１２の厚さは開口部３１８の近くで急激に減少し、それにより、頂壁３１１および底壁３１２のそれぞれは、平面状でありかつ筐体３１０の後端に面する切り立った表面４１２と共に形成される。切り立った表面４１２は、頂壁３１１および底壁３１２に垂直である。１つの実施形態では、２つの内壁４１１も、それぞれ右壁３１３および左壁３１４の中にある切り立った表面として画定することができる。２つの切り立った表面４１１は平面状であり、それぞれ右壁３１３および左壁３１４に垂直であり、切り立った表面４１２とは同一平面上にある。切り立った表面４１２は、切り立った表面の繋がった環を形成するために切り立った表面４１１を接続する。
【００２８】
図２３および２４について参照が行われており、背面支柱３９０は中空かつ円筒形であり、均一の内径を有する。前端表面３９５が、背面支柱３９０の前端上に形成される。前端表面３９５は環状かつ平面状である。２つの弧形状の突出部３９２が、背面支柱３９０の外表面上に形成される。突出部３９２は接続されておらず、前端表面３９５の近くに設置される。突出部３９２は、筐体３１０の右壁３１３および左壁３１４の上にある開口部３１８からそれぞれ露出され、背面支柱３９０が筐体３１０内に挿入されるときに開口部３１８内にそれぞれ嵌り込む（図１８および１９を参照されたい）。
【００２９】
図２５について参照が行われており、弾性の封止環３７０は平坦であり、環形状を有する。封止環３７０は、環状であり、均一の内径を有する本体３７１を含む。加えて、羽根３７２が、本体３７１の右および左側のそれぞれから延在する。羽根３７２は平坦であり、長方形形状を有する。
【００３０】
本開示の第３の実施形態の光学繊維接続器３００によれば、フェルール３４０、フェルール保持具３３０および管３８６の組立体は、筐体３１０の後端上にある開口部を通じて筐体３１０内に挿入することができる。続いて、バネ３８８は筐体３１０内に挿入される。その後、封止環３７０は、その羽根３７２がそれぞれ筐体３１０の２つの切り立った表面４１１に取り付けられている状態で筐体３１０内に据えられる。最終的に、背面支柱３９０は筐体３１０内に挿入され、それにより、突出部３９２は、それぞれ筐体３１０の右壁３１３および左壁３１４の上にある開口部３１８内に嵌り込む（図１８および１９を参照されたい）。突出部３９２が開口部３１８内にそれぞれ引っ掛けられるときに、背面支柱３９０の前端表面３９５は封止環３７０の本体３７１に接して当接し、本体３７１はバネ３８８の後端に接して当接する。バネ３８８は、フェルール保持具３３０を適宜に前方に押すために圧縮される。加えて、封止環３７０は筐体３１０の切り立った表面４１１、４１２に向かって押されもし、それにより、封止環３７０の本体３７１の内縁が切り立った表面４１１、４１２と密接に接触させられる（図２６を参照されたい）。
【００３１】
本開示の第３の実施形態による光学繊維接続器３００が光学繊維適合器内に完全に挿入されるときに、封止環３７０が背面支柱３９０の前端表面３９５と切り立った表面４１１、４１２との間に密接に挟まれるために、封止環３７０と筐体３１０の切り立った表面４１１、４１２との間に存在する、水が通過するための間隙は全くない。それ故に、開口部３１８を通じて筐体３１０内に流れる水は、封止環３７０により遮断され、バネ３８８に接触してそれを錆びさせることはできない。
【００３２】
本開示の好適な実施形態が例解目的のために開示されてきたが、当業者は、付随する請求の範囲に開示されているとおりの本開示の範囲および精神から逸脱することなく、様々な修正、付加および置換が可能であることを認識することになる。
【図１】
0003217973.tif 000003
【図２】
0003217973.tif 000004
【図３】
0003217973.tif 000005
【図４】
0003217973.tif 000006
【図５】
0003217973.tif 000007
【図６】
0003217973.tif 000008
【図７】
0003217973.tif 000009
【図８】
0003217973.tif 000010
【図９】
0003217973.tif 000011
【図１０】
0003217973.tif 000012
【図１１】
0003217973.tif 000013
【図１２】
0003217973.tif 000014
【図１３】
0003217973.tif 000015
【図１４】
0003217973.tif 000016
【図１５】
0003217973.tif 000017
【図１６】
0003217973.tif 000018
【図１７】
0003217973.tif 000019
【図１８】
0003217973.tif 000020
【図１９】
0003217973.tif 000021
【図２０】
0003217973.tif 000022
【図２１】
0003217973.tif 000023
【図２２】
0003217973.tif 000024
【図２３】
0003217973.tif 000025
【図２４】
0003217973.tif 000026
【図２５】
0003217973.tif 000027
【図２６】
0003217973.tif 000028